(57)【要約】【課題】シートをなるべく薄く形成して様々な用途に用いることができると共に、溶融した相転移物質によるシートのベタ付きを抑制することができる、冷感シートを提供する。【解決手段】この冷感シート１０は、融点が２０〜３７℃である相転移物質を封入したマイクロカプセル２３を含有する、相転移物質含有シート２０と、該相転移物質含有シート２０の表側及び裏側に配置され、同相転移物質含有シート２０を挟み込む一対のカバーシート３０，４０とを有し、各カバーシート３０，４０は、不織布からなる。【選択図】図１
0003221613.tif 000002
【実用新案登録請求の範囲】
【請求項１】
融点が２０〜３７℃である相転移物質を封入したマイクロカプセルを含有する、相転移物質含有シートと、
該相転移物質含有シートの表側及び裏側に配置され、同相転移物質含有シートを挟み込む一対のカバーシートとを有し、
各カバーシートは、不織布からなることを特徴とする冷感シート。
【請求項２】
前記不織布の目付量は、１０〜１５０ｇ／ｍ2である請求項１記載の冷感シート。
【請求項３】
前記不織布は、ナイロン、レーヨン、ポリエステル、又は、それら混合物からなる請求項１又は２記載の冷感シート。
【請求項４】
前記相転移物質含有シートは、前記マイクロカプセルを３０〜２００ｇ／ｍ2含有するものである請求項１〜３のいずれか１つに記載の冷感シート。
【請求項５】
前記相転移物質含有シート及び前記一対のカバーシートは、キルティング及び／又は接着によって固定されている請求項１〜４のいずれか１つに記載の冷感シート。
【請求項６】
前記相転移物質含有シート及び前記一対のカバーシートの周縁部は、ヘム、三巻、かがり止めのいずれかにより縫製されている請求項１〜５のいずれか１つに記載の冷感シート。
【考案の詳細な説明】
【技術分野】
【０００１】
本考案は、例えば、シーツの下に引いたり、タオルケットのように体の上に掛けたりして利用できる、冷感シートに関する。
【背景技術】
【０００２】
生地に身体が接触した時、冷感を感じるのは、皮膚から生地へ熱移動が生じるからであり、この熱移動量が多いほど冷感を良く感じることができる。
【０００３】
冷感が得られる素材として、相転移物質を封入したマイクロカプセルを繊維に付着させてなるものがある。相転移物質は、固体状態から液体状態へ相転移する際に吸熱反応が生じるので、マイクロカプセル中の相転移物質が、体温によって温められて溶融すると、吸熱反応が生じて皮膚から生地へ熱移動が生じ、冷感を得ることができる。
【０００４】
上記のような冷感を感じるものとして、例えば、下記特許文献１には、接触冷感評価値（Ｑ−ｍａｘ）が０．２Ｗ／ｃｍ2以上である布からなる表生地と、前記表生地の裏側に配置された、融点が２０〜３７℃である相転移物質を封入したマイクロカプセルを含有する相転移物質含有シートと、相転移物質含有シートの裏側に配置された中綿層と、中綿層の裏側に配置された布からなる裏生地とを備えた、繊維積層体が記載されている。また、前記中綿層は、例えば、ナイロン繊維やポリエステル繊維等の、クッション性を有する比較的肉厚のものが好ましいことが記載されている。
【先行技術文献】
【特許文献】
【０００５】
【特許文献１】実用新案登録第３１８５６１６号公報
【考案の開示】
【考案が解決しようとする課題】
【０００６】
ところで、相転移物質を含有したシートを有するものとしては、シーツの下に引いたり、タオルケットのように体の上に掛けたりして利用する以外にも、例えば、丸めて枕カバーに入れたり、枕外周に巻いたり、更には、椅子やソファーに座った際に、ひざに掛けたり（ひざ掛け）して、利用することが考えられる。
【０００７】
ただし、上記特許文献１の繊維積層体は、クッション性を有する比較的肉厚の中綿層を有するため、丸めて枕カバー内に入れたり、枕外周に巻いたりして利用する際には、不向きであった。
【０００８】
また、マイクロカプセルに封入された相転移物質は、例えば、パラフィン等であるが、これが体温によって温められて溶融した際に、マイクロカプセルから漏れ出して、シートにベタ付きが生じることがあった。
【０００９】
したがって、本考案の目的は、シートをなるべく薄く形成して様々な用途に用いることができると共に、溶融した相転移物質によるシートのベタ付きを抑制することができる、冷感シートを提供することにある。
【課題を解決するための手段】
【００１０】
上記目的を達成するため、本考案は、融点が２０〜３７℃である相転移物質を封入したマイクロカプセルを含有する、相転移物質含有シートと、該相転移物質含有シートの表側及び裏側に配置され、同相転移物質含有シートを挟み込む一対のカバーシートとを有し、各カバーシートは、不織布からなることを特徴とする。
【００１１】
上記考案によれば、融点が２０〜３７℃である相転移物質を封入したマイクロカプセルを含有する、相転移物質含有シートを有するので、例えば、シーツの下に引いたり、タオルケットのように体の上に掛けたりして、身体と接触すると、相転移物質含有シートが体温で温められて、相転移物質が徐々に溶解して吸熱反応が生じ、冷感を得ることができる。
【００１２】
また、相転移物質含有シートの表裏両側に配置された一対のカバーシートによって、相転移物質含有シートが挟み込まれており、各カバーシートは不織布からなるので、マイクロカプセルから、パラフィン等の微量の相転移物質が漏れ出しても、不織布からなるカバーシートに浸み込ませることができ、使用者がベタ付きを感じることを抑制して、快適に使用することができる。
【００１３】
更に、相転移物質含有シートが、薄く形成しやすい不織布からなる一対のカバーシートで挟み込まれているので、冷感シート全体をなるべく薄くすることができ、例えば、丸めて枕カバー内に入れたり、枕外周に巻いたり、体に巻き付けたり等の、シートの薄さを生かした様々な用途に用いることができる。
【００１４】
本考案の冷感シートにおいては、前記不織布の目付量は、１０〜１５０ｇ／ｍ2であることが好ましい。上記態様によれば、不織布の目付量は、１０〜１５０ｇ／ｍ2であるので、各カバーシートを、相転移物質含有シートによる冷感性能を得つつ、マイクロカプセルから漏れ出した相転移物質を確実に浸み込ませることができる程度の、厚さとなるように、薄くすることができる。
【００１５】
本考案の冷感シートにおいては、前記不織布は、ナイロン、レーヨン、ポリエステル、又は、それら混合物からなることが好ましい。上記態様によれば、不織布は、ナイロン、レーヨン、ポリエステル、又は、それら混合物からなるので、例えば、ナイロンからなる不織布の場合は、冷感性能を高めることができ、レーヨンからなる不織布の場合は、柔軟性を高めることができ、更に、ポリエステルからなる不織布の場合は、吸湿性を高めることができ、利用目的に応じた材料を適宜選択することで、様々な用途に用いることができる。
【００１６】
本考案の冷感シートにおいては、前記相転移物質含有シートは、前記マイクロカプセルを３０〜２００ｇ／ｍ2含有するものであることが好ましい。上記態様によれば、上記発明によれば、相転移物質含有シートは、マイクロカプセルを３０〜２００ｇ／ｍ2含有するものであるので、就寝時等に適切な冷感性能を得ることができる。
【００１７】
本考案の冷感シートにおいては、前記相転移物質含有シート及び前記一対のカバーシートは、キルティング及び／又は接着によって固定されていることが好ましい。上記態様によれば、相転移物質含有シート及び一対のカバーシートは、キルティング及び／又は接着によって固定されているので、冷感シート使用時に、相転移物質含有シート及び一対のカバーシートが位置ずれすることを防止することができ、マイクロカプセルからの相転移物質の漏れをカバーシートに確実に浸み込ませることができる。
【００１８】
本考案の冷感シートにおいては、前記相転移物質含有シート及び前記一対のカバーシートの周縁部は、ヘム、三巻、かがり止めのいずれかにより縫製されていることが好ましい。上記態様によれば、相転移物質含有シート及び一対のカバーシートの周縁部は、ヘム、三巻、かがり止めのいずれかにより縫製されているので、冷感シート周縁部のほつれや破損を抑制して、長期に亘って使用することができる。
【考案の効果】
【００１９】
本考案によれば、相転移物質含有シートの表裏両側に配置された一対のカバーシートによって、相転移物質含有シートが挟み込まれており、各カバーシートは不織布からなるので、マイクロカプセルから相転移物質が漏れ出しても、不織布からなるカバーシートに浸み込ませることができ、使用者がベタ付きを感じることを抑制して、快適に使用することができると共に、冷感シート全体をなるべく薄くすることができ、例えば、丸めて枕カバー内に入れたり、枕外周に巻いたり、体に巻き付けたり等の、シートの薄さを生かした様々な用途に用いることができる。
【図面の簡単な説明】
【００２０】
【図１】本考案の冷感シートの一実施形態を示しており、その分解斜視図である。
【図２】同冷感シートの斜視図である。
【図３】同冷感シートを構成する相転移物質含有シートの、平面図である。
【図４】同冷感シートの断面図である、
【考案を実施するための形態】
【００２１】
以下、図１〜４を参照して、本考案の冷感シートの、一実施形態について説明する。
【００２２】
図１に示すように、この実施形態の冷感シート１０は、相転移物質含有シート２０（以下、単に「相転移シート２０」ともいう）と、この相転移シート２０の表側及び裏側に配置され、同相転移シート２０を挟み込む一対のカバーシート３０，４０とを有している。この実施形態では、相転移シート２０の表側にカバーシート３０が配置され、相転移シート２０の裏側にカバーシート４０が配置されている。
【００２３】
図３に示すように、この実施形態における相転移シート２０は、角部がＲ状をなした略正方形状をなした基材シート２１と、この基材シート２１に複数固着された、相転移物質を封入したマイクロカプセル２３とから構成されている。
【００２４】
また、基材シート２１は、通気性及び透湿性が良好なものが好ましく用いられる。例えば、ナイロン繊維、ポリエステル繊維、ポリエチレン繊維、レーヨン繊維から選ばれる一種以上の繊維を含むもの素材とし、これらの繊維を用いた織布又は不織布が挙げられる。織布の織り方としては、特に限定は無く、平織り、綾織り、朱子織り等が挙げられる。好ましくは不織布である。
【００２５】
また、基材シート２１の目付量は、３０〜１００ｇ／ｍ2であることが好ましく、５０〜８０ｇ／ｍ2であることがより好ましい。
【００２６】
更に、基材シート２１の厚さは、０．００５〜１．０ｍｍであることが好ましく、０．１〜０．５ｍｍであることがより好ましい。
【００２７】
図３に示すように、この実施形態では、円形状をなしたマイクロカプセル２３が、基材シート２１にドット状をなすように固着されている。具体的には、マイクロカプセル２３は、所定間隔をあけて基材シート２１の縦方向Ａに沿って配置されており、この縦方向Ａに配置された複数のマイクロカプセル２３の列が、基材シート２１の縦方向Ａに直交する横方向Ｂに沿って複数列配列されて、基材シート２１のほぼ全域に亘って複数のマイクロカプセル２３が固着されている。ここでは図３に示すように、縦方向Ａに沿って配置された複数のマイクロカプセル２３の列は、それに隣接する複数のマイクロカプセル２３の列に対して、縦方向Ａに対して半ピッチ位置ずれして配置されており、それによって、基材シート２１のほぼ全域に亘って、無駄なスペースがないように複数のマイクロカプセル２３が固着されている。
【００２８】
また、マイクロカプセル２３は、例えば、基材シート２１上にストライプ状に固着したり、格子状をなすように固着したり、更には所定箇所に部分的に固着したりしてもよく、基材シート２１に対するマイクロカプセル２３の固着パターンは特に限定はされない。なお、図４に示すように、マイクロカプセル２３を基材シート２１上にドット状に固着することで、マイクロカプセル２３の使用量を抑えつつ、優れた冷感が得られやすい。
【００２９】
また、マイクロカプセル２３に封入される相転移物質とは、潜熱の吸放出を伴って可逆的に相変化する物質であって、固体状態から液体状態へ相転移する際の吸熱反応を利用して冷感を与えることができるものである。
【００３０】
この相転移物質の融点は、２０〜３７℃であり、２８〜３６℃が好ましい。相転移物質の融点が２０℃未満であると、夏場等、冷感を快適と感じる暑い環境下では、身体との接触前に相転移物質が溶融してしまい、冷感が得られにくい。一方、相転移物質の融点が３７℃を超えると、身体に接触しても相転移物質が溶解し難く、冷感が得られにくい。
【００３１】
また、相転移物質は、融点が２０〜３７℃の範囲にあるものであれば、無機水和物系、有機系のいずれも好ましく用いることができる。無機水和物系の相転移物質としては、硫酸ナトリウム１０水和物（融点３２．４℃）、塩化カルシウム６水和物（２９．７℃）、炭酸ナトリウム１０水和物（３２℃）等が挙げられる。有機系の相転移物質としては、パラフィン、ワックスなどの炭化水素が挙げられる。
【００３２】
更に相転移物質を封入するマイクロカプセル２３の平均粒子径は、２〜５０μｍが好ましい。また、マイクロカプセル２３の材質としては、特に限定はないが、例えば、ポリエチレン樹脂、ポリプロピレン樹脂、ポリスチレン樹脂、ポリエステル樹脂、ポリウレタン樹脂、フェノール樹脂、メラミン樹脂、塩化ビニル樹脂、酢酸ビニル樹脂、シリコーン樹脂、アクリル樹脂、シリカゲル等を用いることができる。
【００３３】
相転移物質を封入したマイクロカプセル２３の全質量に対する相転移物質の割合は、５０〜９０質量％が好ましく、６０〜８０質量％がより好ましい。９０質量％を超えると、マイクロカプセルの安定性が低下する傾向にある。５０質量％未満であると、得られる冷感が不十分な場合がある。
【００３４】
基材シート２１へのマイクロカプセル２３の固着は、水等の溶媒と、バインダーと、マイクロカプセル２３とを含むコーティング液を、基材シート２１上に含浸、塗布、印刷等の方法を適宜用いて行うことができる。コーティング液にはホルムアルデヒド吸着剤を含有させてもよい。
【００３５】
また、相転移シート２０は、マイクロカプセル２３を、３０〜２００ｇ／ｍ2含有することが好ましく、５０〜１５０ｇ／ｍ2含有することがより好ましい。マイクロカプセル２３の付着量が、３０ｇ／ｍ2未満であると冷感が不十分となる場合がある。また、マイクロカプセル２３の付着量を増加させるほど冷感が向上するが、コスト高になるので、上限は２００ｇ／ｍ2が好ましい。
【００３６】
上記構造をなした相転移シート２０を挟み込むカバーシート３０，４０は、この実施形態の場合、相転移シート２０に適合するように、角部がＲ状をなした略正方形状をなしている。
【００３７】
これらのカバーシート３０，４０は、この実施形態の場合、不織布からなる。不織布としては、ナイロン、レーヨン、ポリエステル、又は、それら混合物（例えば、ナイロンとポリエステルの混合物や、ナイロンとレーヨンとの混合物等）からなる。
【００３８】
また、カバーシート３０，４０としては、冷間作用を有するものであることが好ましい。具体的には、カバーシート３０，４０としては、接触冷感評価値（Ｑ−ｍａｘ）が０．２Ｗ／ｃｍ2以上の布で構成されることが好ましい。この接触冷感評価値（Ｑ−ｍａｘ）とは、人がものに触れた瞬間の冷たさを移動した熱量で数値化したものであって、数値が大きいほど冷感を強く感じることができる。なお、上記の接触冷感評価値（Ｑ−ｍａｘ）とは、温度２０℃の環境下で、温度差２０℃のセンサーにサンプルを接触させたときの熱の移動量のことである。更に、カバーシート３０，４０の接触冷感評価値（Ｑ−ｍａｘ）は、０．２Ｗ／ｃｍ2以上であり、０．２５Ｗ／ｃｍ2以上が好ましい。接触冷感評価値（Ｑ−ｍａｘ）が０．２Ｗ／ｃｍ2未満であると、冷感を感じられ難くなる。
【００３９】
また、カバーシート３０，４０における不織布の目付量は、１０〜１５０ｇ／ｍ2であることが好ましく、３０〜４０ｇ／ｍ2であることがより好ましい。不織布の目付量が１０ｇ／ｍ2未満であると、不織布であるカバーシート３０，４０が薄くなりすぎて、カバーシート３０，４０の耐久性に懸念があり、また、マイクロカプセル２３から漏れ出した相転移物質の浸み込み量の許容量を超えて、ベタ付き感が生じることがある。一方、不織布の目付量が１５０ｇ／ｍ2を超えると、不織布であるカバーシート３０，４０が厚くなり、冷感シート全体が厚くなり、使い勝手に問題が生じることがある。
【００４０】
更に、カバーシート３０，４０の厚さは、０．０１〜０．５ｍｍであることが好ましく、０．０５〜０．３ｍｍであることがより好ましい。カバーシート３０，４０の厚さが０．０１ｍｍ未満であると、カバーシート３０，４０の耐久性に懸念が生じ、マイクロカプセル２３から漏れ出した相転移物質の浸み込み量の許容量を超えて、ベタ付き感が生じることがある。一方、カバーシート３０，４０の厚さが０．５ｍｍを超えると、冷感シート全体が厚くなり、使い勝手に問題が生じることがある。
【００４１】
なお、上記の不織布としては、乾式法、湿式法、スパンボンド法、スパンレース法、サーマルボンド法、ニードルパンチ法等の、周知の方法で製造することができる。
【００４２】
上記構造をなした一対のカバーシート３０，４０は、相転移シート２０の表側及び裏側にそれぞれ配置されて挟み込まれることで、３層構造をなした冷感シート１０が構成される。そして、図２に示すように、積層された状態の、相転移シート２０及び一対のカバーシート３０，４０が、所定間隔をあけて複数の直線状をなすように施されたキルティング５０によって相互に固定されている。なお、相転移シート２０及び一対のカバーシート３０，４０の固定方法としては、キルティングではなく、接着剤等による接着であってもよく、更にキルティング及び接着を併用してもよい。また、キルティングとしては、例えば、格子状をなすように施してもよく、特に限定はされない。
【００４３】
更に、キルティング５０によって固定された、相転移シート２０及び一対のカバーシート３０，４０の周縁部の外周には、図１、図２、及び図４に示すように、略四角枠状をなした帯状の縁取り部材６０が被せられて、ヘムや、三巻、かがり止めの、いずれかによって縫製されて、各シート２０，３０，４０の周縁部外周が縁取り部材６０により補強されている。
【００４４】
なお、以上説明した本実施形態における相転移シート２０及び一対のカバーシート３０，４０は、上述したように、角部がＲ状をなした略正方形状をなしているが、例えば、各シート２０，３０，４０を、一方向に長い長方形状としたり、円形状や、楕円形状等としてもよく、その形状は特に限定されない。
【００４５】
次に、上記構造からなる冷感シート１０の使用方法及び作用効果について説明する。
【００４６】
この冷感シート１０は、例えば、シーツの下に引いたり、タオルケットのように体の上に掛けたりして用いることができる。そして、この冷感シート１０は、融点が２０〜３７℃である相転移物質を封入したマイクロカプセル２３を含有する、相転移シート２０を有するので、冷感シート１０に、身体が接触すると、相転移シート２０が体温で温められて、相転移物質が徐々に溶解して吸熱反応が生じ、冷感を得ることができる。
【００４７】
また、相転移シート２０の表裏両側に配置された一対のカバーシート３０，４０によって、相転移シート２０が挟み込まれていると共に、各カバーシート３０，４０は不織布からなるので、マイクロカプセル２３から、パラフィン等の微量の相転移物質が漏れ出しても、不織布からなるカバーシート３０，４０に浸み込ませることができ、使用者がベタ付きを感じることを抑制して、快適に使用することができる。
【００４８】
更に、相転移シート２０は、薄く形成しやすい、不織布からなる一対のカバーシートが挟み込まれて配置されているので、冷感シート１０全体をなるべく薄くすることができる。そのため、例えば、冷感シート１０を丸めて枕カバー内に入れたり、枕外周に巻いたり、体に巻き付けたり等の、冷感シート１０の薄さを生かした様々な用途に用いることができる。
【００４９】
なお、冷感シート１０としては、上記の用途以外にも、例えば、椅子やソファーに座った際にひざに掛けたり（ひざ掛け）、フローリングに敷いたり、車のシートに載置したり、ベビーカーのシート内に敷いたりしてもよく、その適用箇所は特に限定されない。
【００５０】
また、この実施形態の冷感シート１０においては、各カバーシート３０，４０をなす、不織布の目付量は１０〜１５０ｇ／ｍ2であるので、各カバーシート３０，４０を、相転移シート２０による冷感性能を得つつ、マイクロカプセル２３から漏れ出した相転移物質を確実に浸み込ませることができる程度の、厚さとなるように、薄くすることができる。
【００５１】
更にこの実施形態の冷感シート１０は、各カバーシート３０，４０をなす、不織布は、ナイロン、レーヨン、ポリエステル、又は、それら混合物からなる。そして、例えば、ナイロンからなる不織布の場合は、冷感性能を高めることができ、レーヨンからなる不織布の場合は、柔軟性を高めることができ、更に、ポリエステルからなる不織布の場合は、吸湿性を高めることができ、このように利用目的に応じた材料を適宜選択することで、様々な用途に冷感シート１０を用いることができ、使用者の利便性を向上させることができる。
【００５２】
また、この実施形態の冷感シート１０において、相転移シート２０は、マイクロカプセル２３を３０〜２００ｇ／ｍ2含有するものであるので、就寝時等に適切な冷感性能を得ることができる。
【００５３】
更に、この実施形態の冷感シート１０における、相転移シート２０及び一対のカバーシート３０，４０は、キルティング及び／又は接着によって固定されている。そのため、冷感シート１０の使用時に、相転移シート２０及び一対のカバーシート３０，４０が位置ずれすることを防止することができ、マイクロカプセル２３からの相転移物質の漏れを、カバーシート３０，４０に確実に浸み込ませることができる。
【００５４】
また、図２や図４に示すように、この実施形態の冷感シート１０においては、相転移シート２０及び一対のカバーシート３０，４０の周縁部は、ヘム、三巻、かがり止めのいずれかにより縫製されているので、冷感シート１０の周縁部のほつれや破損を抑制して、長期に亘って使用することができる。
【００５５】
なお、本考案は、上述した実施形態に限定されるものではなく、本考案の要旨の範囲内で、各種の変形実施形態が可能であり、そのような実施形態も本考案の範囲に含まれる。
【符号の説明】
【００５６】
１０  冷感シート
２０  相転移物質含有シート（相転移シート）
２１  基材シート
２３  マイクロカプセル
３０，４０  カバーシート
５０  キルティング
６０  縁取り部材
【図１】
0003221613.tif 000003
【図２】
0003221613.tif 000004
【図３】
0003221613.tif 000005
【図４】
0003221613.tif 000006